(57)【要約】【課題】主食物や副食物などの複数の食物を盛り付ける食事用プレートにおいて、見た目は同一の量であっても、実際は異なる量として盛り付けることができ、バランスのとれた食事をすることができる段差付食事用プレートを提供する。【解決手段】段差付食事用プレート１０は、第１の盛付凹部１１、第２の盛付凹部１２及び第３の盛付凹部１３を有している。第１の上端部１１ａから第１の底部１１ｂまでの第１の深さＦ１が、第２の上端部１２ａから第２の底部１２ｂまでの第２の深さＦ２及び第３の上端部１３ａから第３の底部１３ｂまでの第３の深さＦ３より深くなるように形成され、また、第２の深さＦ２が、第３の深さＦ３より深くなるように形成されており、複数の盛付凹部の深さが異なり段差が生じるように構成されている。【選択図】図１
0003215709.tif 000002
【実用新案登録請求の範囲】
【請求項１】
複数の凹状に形成されている盛付凹部を有し、主食物や副食物などの食物を、前記複数の盛付凹部に盛り付けることで、食事をするように形成されている段差付食事用プレートであって、
前記複数の盛付凹部は、それぞれが上端部と底部を有し、前記それぞれの上端部から底部までの深さが異なり、段差が生じるように構成されていることを特徴とする段差付食事用プレート
【請求項２】
前記それぞれの上端部は、同一の高さとなるように形成されていることを特徴とする請求項１に記載の段差付食事用プレート。
【請求項３】
前記それぞれの底部は、同一の高さとなるように形成されていることを特徴とする請求項１に記載の段差付食事用プレート。
【請求項４】
前記複数の盛付凹部は、第１の盛付凹部と第２の盛付凹部と第３の盛付凹部から構成されており、
前記第１の盛付凹部の第１の上端部から第１の底部までの深さは、第１の深さであり、前記第２の盛付凹部の第２の上端部から第２の底部までの深さは、第２の深さであり、前記第３の盛付凹部の第３の上端部から第３の底部までの深さは、第３の深さであり、
前記第１の深さは、前記第２の深さ及び前記第３の深さより深くなるように形成され、
前記第２の深さは、前記第３の深さより深くなるように形成されていることを特徴とする請求項１から請求項３のいずれかに記載の段差付食事用プレート。
【考案の詳細な説明】
【技術分野】
【０００１】
本考案は、段差付食事用プレートに関する。
【背景技術】
【０００２】
熱硬化性樹脂、熱可塑性樹脂などで形成されたプレートを用いて主食物や副食物などの複数の食物を、このプレートに設けられた複数の盛付凹部に盛り付けて食事をする食事用プレートが普及している。
【先行技術文献】
【特許文献】
【０００３】
【特許文献１】実登３０３５２０８号公報
【考案の概要】
【考案が解決しようとする課題】
【０００４】
食事は、エネルギーや栄養補給のために重要であり、また、栄養バランスのとれた食事はより重要と考えられる。このようにバランスのとれた食事を行う必要があっても、好き嫌いなどにより、かたよった食事となってしまうことがある。特に、成長期の子供などにおいては、複数のバランスのとれた食物のそれぞれを、一定量食することは重要と考えられ、このような問題に対して対応できる食事用プレートが求められていた。
【０００５】
本考案は、こうした点に鑑みてなされたものであり、主食物や副食物などの複数の食物を盛り付ける食事用プレートにおいて、見た目は同一の量であっても、実際は異なる量として盛り付けることができ、バランスのとれた食事をすることができる段差付食事用プレートを提供するものである。
【課題を解決するための手段】
【０００６】
上記課題を解決するために、本考案に係る段差付食事用プレートは、複数の凹状に形成されている盛付凹部を有し、主食物や副食物などの食物を、前記複数の盛付凹部に盛り付けることで、食事をするように形成されている段差付食事用プレートであって、前記複数の盛付凹部は、それぞれが上端部と底部を有し、前記それぞれの上端部から底部までの深さが異なり、段差が生じるように構成されていることを特徴とする。
【０００７】
本考案に係る段差付食事用プレートの態様について、前記それぞれの上端部は、同一の高さとなるように形成されていることが好ましい。
【０００８】
本考案に係る段差付食事用プレートの態様について、前記それぞれの底部は、同一の高さとなるように形成されていることが好ましい。
【０００９】
本考案に係る段差付食事用プレートの態様について、前記複数の盛付凹部は、第１の盛付凹部と第２の盛付凹部と第３の盛付凹部から構成されており、前記第１の盛付凹部の第１の上端部から第１の底部までの深さは、第１の深さであり、前記第２の盛付凹部の第２の上端部から第２の底部までの深さは、第２の深さであり、前記第３の盛付凹部の第３の上端部から第３の底部までの深さは、第３の深さであり、前記第１の深さは、前記第２の深さ及び前記第３の深さより深くなるように形成され、前記第２の深さは、前記第３の深さより深くなるように形成されていることが好ましい。
【考案の効果】
【００１０】
本考案によれば、主食物や副食物などの複数の食物を盛り付ける食事用プレートにおいて、見た目は同一の量であっても、実際は異なる量として盛り付けることができ、バランスのとれた食事をすることができる段差付食事用プレートを提供することができる。
【図面の簡単な説明】
【００１１】
【図１】実施形態の段差付食事用プレートの一例を示す模式図である。
【図２】実施形態の段差付食事用プレートの変形例を示す参考図である。
【考案を実施するための形態】
【００１２】
以下、本考案の段差付食事用プレートの実施形態を、図１及び図２を用いて説明する。図１（ａ）は、段差付食事用プレート１０を上面から見た模式図であり、図１（ｂ）は、段差付食事用プレート１０を側面から見た模式図であり、図２（ａ）は、段差付食事用プレート１０の変形例を上面から見た参考図であり、図２（ｂ）は、段差付食事用プレート１０の変形例を側面から見た参考図である。
【００１３】
実施形態の段差付食事用プレート１０は、複数の凹状に形成されている盛付凹部を有しており、これらの盛付凹部に、主食物や副食物などの食物が盛り付けられ、食事をすることができるように形成されている。
【００１４】
段差付食事用プレート１０の複数の盛付凹部は、それぞれが上端部と底部を有しており、それぞれの上端部から底部までの深さが異なり、段差が生じるように構成されている。
【００１５】
また、実施形態においては、それぞれの上端部が同一の高さとなるように、つまりそれぞれの上端部が同一平面上となるように形成されている。なお、これに限定されず、例えば、それぞれの底部が同一の高さとなるように、つまりそれぞれの底部が同一平面上となるように形成されてもよい。
【００１６】
上記のとおり、盛付凹部は、段差付食事用プレート１０の内部に複数設けられている構成であるが、この例においては、複数の盛付凹部は、第１の盛付凹部１１、第２の盛付凹部１２及び第３の盛付凹部１３の３個の盛付凹部で構成されている。なお、この例における３個の盛付凹部は、一例であり、例えば図２に示すように、適宜最適な個数及び個々の深さ、大きさなどは、適宜最適なものを選択すればよい。
【００１７】
この例において、第１の盛付凹部１１は、第１の上端部１１ａと第１の底部１１ｂを有し、第１の上端部１１ａから第１の底部１１ｂまでの深さは、第１の深さＦ１である。第２の盛付凹部１２は、第２の上端部１２ａと第２の底部１２ｂを有し、第２の上端部１２ａから第２の底部１２ｂまでの深さは、第２の深さＦ２である。また、第３の盛付凹部１３は、第３の上端部１３ａと第３の底部１３ｂを有し、第３の上端部１３ａから第３の底部１３ｂまでの深さは、第３の深さＦ３である。
【００１８】
実施形態の段差付食事用プレート１０は、上記のとおり、複数の盛付凹部のそれぞれの深さが異なり段差が生じるように構成されており、この例において、第１の深さＦ１は、第２の深さＦ２及び第３の深さＦ３より深くなるように形成されており、また、第２の深さＦ２は、第３の深さＦ３より深くなるように形成されている。すなわち、この段差付食事用プレート１０は、第１の深さＦ１＞第２の深さＦ２＞第３の深さＦ３、となるように形成されている。
【００１９】
このような構成の段差付食事用プレート１０は、例えば、縦１７０ｍｍ、横２３０ｍｍ及び厚さ３００ｍｍで形成されており、第１の盛付凹部１１の深さＦ１は、２６ｍｍとなるように、第２の盛付凹部１２の深さＦ２は、１８ｍｍとなるように及び第３の盛付凹部１３の深さＦ３は、１０ｍｍとなるように形成されている。なお、これは一例であり、段差付食事用プレート１０の縦、横、厚さなどの大きさは、適宜最適なものを選択すればよく、また、盛付凹部のそれぞれの深さも、適宜最適なものを選択し設計すればよい。
【００２０】
上記の特徴を有する段差付食事用プレート１０は、主食物や副食物などの複数の食物を盛り付ける場合において、見た目は同一の量であっても、実際は異なる量として盛り付けることができ、バランスのとれた食事をすることができる。
【００２１】
すなわち、段差付食事用プレート１０を用いることにより、例えば、嫌いなものであっても。深さが浅い盛付凹部を選択することにより、少ない量であっても、他の食物と同様な視覚で盛り付けることが可能となり、バランスの良い食事ができ、例えば、子供や老人が使用することで成長や健康などに貢献できるものである。
【００２２】
また、段差付食事用プレート１０は、ホテルのレストラン、社員食堂などのバイキング形式の食事に用いることに適しており、利用者は、好みの食物をバランスよく残すことないように、盛り付けることができるという顕著な効果を有するものである。
【００２３】
以上、本考案の有する特徴及び優れた点を上記実施形態に記載したが、本考案は、本願の実用新案登録請求の範囲で使用されている言葉を広く一般的な意味に拡張して実施することができる。
【００２４】
また、本考案の段差付食事用プレートは、大きさや形状、素材の種類、厚さ、重さなどについては多様な実施形態が可能であり、それらについて本実施形態と異なる形態による実施は、本考案の技術的範囲に含まれる。
【符号の説明】
【００２５】
１０    段差付食事用プレート
１１    第１の盛付凹部
１１ａ  第１の上端部
１１ｂ  第１の底部
１２    第２の盛付凹部
１２ａ  第２の上端部
１２ｂ  第２の底部
１３    第３の盛付凹部
１３ａ  第３の上端部
１３ｂ  第３の底部
Ｆ１    第１の深さ
Ｆ２    第２の深さ
Ｆ３    第３の深さ
【図１】
0003215709.tif 000003
【図２】
0003215709.tif 000004